(57)【特許請求の範囲】
【請求項１】
移動体通信システムの電力制御ループシステムであって、
第１品質インジケータ値と第１品質目標値から第２制御ループの第２品質目標値を作成する第１制御ループと、
前記第１制御ループの出力に接続され、第２品質インジケータ値と前記第２品質目標値からＳＩＲ目標値を作成する前記第２制御ループと、
前記第２制御ループの出力に接続され、ＳＩＲ誤り値を発生させる第３制御ループから構成される電力制御ループシステム。
【請求項２】
前記第１品質インジケータ値が利用できない場合、前記第１制御ループは前記第１品質目標値をＳＩＲ値にマッピングする手段を含む請求項１に記載の電力制御ループ。
【請求項３】
前記移動体通信システムはＣＤＭＡ移動体通信システムを含む請求項１に記載の電力制御ループシステム。
【請求項４】
前記移動体通信システムはスペクトラル拡散システムとＷＣＤＭＡシステムのうち少なくとも１つを具備する請求項１に記載の電力制御ループシステム。
【請求項５】
前記第１制御ループと前記第２制御ループとがカスケード形配列で接続され、前記第２制御ループと前記第３制御ループとがカスケード形配列で接続されている請求項１に記載の電力制御ループ。
【請求項６】
前記第１制御ループは、
前記第１品質インジケータ値から第１品質値を評価する手段と、
前記評価第１品質値を第１品質誤り値に変換する手段とを具備する請求項１に記載の電力制御ループシステム。
【請求項７】
前記第１品質値を評価する手段は可変利得付き指数フィルタを具備する請求項６に記載の電力制御ループシステム。
【請求項８】
前記第１制御ループは前記第１品質誤り値に対応した前記第２品質目標値を発生させる手段を具備する請求項６に記載の電力制御ループシステム。
【請求項９】
前記評価第１品質値をＳＩＲ値にマッピングする手段を具備する請求項６に記載の電力制御ループシステム。
【請求項１０】
前記第２品質目標値を発生させる手段は第２品質誤り値のＳＩＲフィルタリング手段を具備する請求項８に記載の電力制御ループシステム。
【請求項１１】
前記第２制御ループは、
前記第２品質インジケータ値から第２品質値を評価する手段と、
前記評価第２品質値を第２品質誤り値に変換する手段とを具備する請求項１に記載の電力制御ループシステム。
【請求項１２】
前記第２品質値を評価する手段は可変利得付き指数フィルタを具備する請求項１１に記載の電力制御ループシステム。
【請求項１３】
前記評価第２品質値をＳＩＲ値にマッピングする手段を具備する請求項１１に記載の電力制御ループシステム。
【請求項１４】
前記第２制御ループは前記第２品質誤り値に対応した前記ＳＩＲ目標値を発生させる手段を具備する請求項１１に記載の電力制御ループシステム。
【請求項１５】
前記ＳＩＲ目標値を発生させる手段は前記第２品質誤り値のＳＩＲフィルタリング手段を具備する請求項１４に記載の電力制御ループシステム。
【請求項１６】
前記第３制御ループは前記ＳＩＲ目標値に対応した前記ＳＩＲ誤り値を発生させる請求項１に記載の電力制御ループシステム。
【請求項１７】
前記第１制御ループと前記第２制御ループはソフトウェアで実施される複数の電力制御アルゴリズムを具備する請求項１に記載の電力制御ループシステム。
【請求項１８】
移動体通信システムにおける送信電力レベルを制御する方法であって、
第１制御ループが、第１品質インジケータ値と第１品質目標値から第２制御ループの第２品質目標値を作成する過程と、
前記第２制御ループが、第２品質インジケータ値と前記第２品質目標値からＳＩＲ目標値を作成する過程と、
第３制御ループが、前記第２品質目標値に対応したＳＩＲ誤り値を発生させる過程とを有する方法。
【請求項１９】
前記第１品質インジケータ値が利用できない場合、前記第１品質目標値をＳＩＲ値にマッピングする過程を有する請求項１８に記載の方法。
【請求項２０】
前記移動体通信システムはＣＤＭＡ移動体通信システムを具備する請求項１８に記載の方法。
【請求項２１】
前記移動体通信システムはスペクトラル拡散システムとＷＣＤＭＡシステムのうち少なくとも１つを具備する請求項１８に記載の方法。
【請求項２２】
前記第１制御ループと前記第２制御ループとをカスケード接続する過程と、
前記第２制御ループと前記第３制御ループとをカスケード接続する過程とを有する請求項１８に記載の方法。
【請求項２３】
前記第1制御ループが、前記第１品質インジケータ値から第１品質値を評価する過程と、前記評価第１品質値を第１品質誤り値に変換する過程とを有する請求項１８に記載の方法。
【請求項２４】
前記第１品質値を評価する過程は可変利得を有する指数フィルタによって前記第１品質値を評価することを含む請求項２３に記載の方法。
【請求項２５】
前記第１制御ループが前記第１品質誤り値に対応した前記第２品質目標値を発生させる過程を有する請求項２３に記載の方法。
【請求項２６】
前記評価第１品質値をＳＩＲ値にマッピングする過程を有する請求項２３に記載の方法。
【請求項２７】
前記第２品質目標値を発生させる過程は第２品質誤り値のＳＩＲフィルタリングによって前記第２品質目標値を発生させることを含む請求項２５に記載の方法。
【請求項２８】
前記第２制御ループが、前記第２品質インジケータ値から第２品質値を評価する過程と、前記評価第２品質値を第２品質誤り値に変換する過程とを有する請求項１８に記載の方法。
【請求項２９】
前記第２品質値を評価する過程は可変利得を有する指数フィルタによって前記第２品質値を評価することを含む請求項２８に記載の方法。
【請求項３０】
前記評価第２品質値をＳＩＲ値にマッピングする過程を有する請求項２８に記載の方法。
【請求項３１】
前記第２制御ループが前記第２品質誤り値に対応した前記ＳＩＲ目標値を発生させる過程を有する請求項２８に記載の方法。
【請求項３２】
前記ＳＩＲ目標値を発生させる過程は前記第２品質誤り値のＳＩＲフィルタリングを含む請求項３１に記載の方法。
【請求項３３】
前記第３制御ループが前記ＳＩＲ目標値に対応した前記ＳＩＲ誤り値を発生させる請求項１８に記載の方法。
【請求項３４】
前記第１制御ループと前記第２制御ループはソフトウェアで実施される複数の電力制御アルゴリズムを具備する請求項１８に記載の方法。
【発明の詳細な説明】
【０００１】
出願に関する相互参照
本特許出願は優先権を主張し、１９９９年９月１４日に出願された係属中の米国特許予備出願シリアル番号６０／１５３７９７の公開内容全体を含むものとする。
【０００２】
【発明の背景】
（本発明の技術分野）
本発明は一般的に移動体通信分野に係わり、特に、スペクトラル拡散又は符号分割多元接続（ＣＤＭＡ）セルラー通信システムにおける送信電力レベルを制御する方法に関係する。
【０００３】
（従来技術の説明）
（頻繁に広帯域ＣＤＭＡ又はＷＣＤＭＡと呼ばれる）広帯域スペクトラル拡散セルラー通信システムにおいて、フェージング及びシャドーイングのようなチャネルに影響を与える環境変化の影響を補償するために、電力制御符号(power control symbol)は一定の方式で送信される。例えば、送信電力レベルを増減させるために、基地局はサービス中の移動局に信号を送る電力制御コマンドを送信することができる。それから移動局は受信した電力制御コマンドに応答して送信電力レベルを増加又は減少させるか否かを決定することができる。
【０００４】
このように、アクティブな全利用者に対して、ＣＤＭＡシステムに使用される電力制御アルゴリズムがネゴシエートされたデータチャネル品質を維持するために設計されることは重要な前提となる。本質的に、現存するシステムで使用される基本的な電力制御アルゴリズムは各接続において２重制御ループ方式(two nested control loops)により、この性能を満たすように設計される。外側（低速）電力制御ループは伝送信号対混信比（ＳＩＲ）又は信号対雑音比（ＳＮＲ）の目標値を制御し、内側（高速）閉塞電力制御ループではこれを使用して実際上のサービス品質（ＱｏＳ）をネゴシエートされたＱｏＳに近似に可能な限り維持するために、使用される。内側電力制御ループは送り側の伝送チャネルのＳＩＲを評価し、その評価されたＳＩＲと外側制御ループからのＳＩＲ目標値を比較し、その比較結果に基づいて、送信電力レベルを増加又は減少させるか否かに関して、送り側チャネルの送信機に「通知する」("advise")、戻り側の伝送チャネル上に特定の電力制御コマンドを送る。とりわけ、同様の電力制御方式は上り線及び下り線どちら側の伝送の制御にも適用できる。
【０００５】
現存するシステムで使用される内側電力制御ループは、（一般的にはＷＣＤＭＡにおいて、）１秒間に１５００の割合で得られるＳＩＲを測定基準にして機能設計されている。現存するシステムで使用される外側電力制御ループは、１秒間に１の割合で得られるＱｏＳ値を基準にして機能設計される。通常は、前記ＱｏＳの値はフレーム誤り率（ＦＥＲ）、ビット誤り率（ＢＥＲ）、パケット遅延又は音声品質指標(speech quality index)（ＳＱＩ）の点から示される。このように、前記ＱｏＳ値は上述した１秒間に一度の割合又は符号ブロック毎に一度の割合（通常は５０〜１００回／秒）においてのみ獲得することができる。しかし、統計的に信頼性のある結果を生じさせるために、前記ＱｏＳ値は有効な期間に渡って累積されるべきである。
【０００６】
現存するシステムで使用される外側電力制御ループは特定の変換量（例：伝送データ速度の変更のようなサービスに関わる変更など）に対して、ＳＩＲ目標値をさらに高速に変更することができる。このように、適切に設計された電力制御を実現するために、内側電力制御ループが応答し、実際上のＳＩＲを変更するよりも低速で、外側電力制御ループはＳＩＲ目標値を変更できるべきである。この方法は実際のＳＩＲが常にＳＩＲ目標値に近似することを保証する。
【０００７】
一般的に、（リンクを確立する前に）典型的な無線通信システムの始動中において、ＳＩＲの初期目標値を設定するために、通常、次に取られる方法は伝送環境と符号体系がＳＩＲ要件にどのような影響を与えるかという情報を明らかにして利用することである。始動後の（リンク確立後）ＳＩＲ目標値を制御するために、ＷＣＤＭＡシステムでは複数の異なる方法が提案された。例えば、米国特許出願シリアル番号０９／３００，０７９はそのような３つの方法を記載しており、それらのいずれも、ＳＩＲ目標値に付与できるＳＩＲ目標調整値を得るために、データチャネルからフレーム誤りを獲得できるとしている。このように、これらの方法は、第一に、内側ループが外側ループによって算出されたＳＩＲ目標値を維持することができず、それにより外側ループにＳＩＲ目標値を不要に変更させるという課題に対応するものである。
【０００８】
"Power Control Based On Combined Quality Estimates"というタイトルの米国特許出願シリアル番号０９／３４４，１２１ではＷＣＤＭＡシステムにおけるＳＩＲ目標値を制御する別の研究法を記載している。ＳＩＲ目標値を調整するために、当該システムはビット誤り測定とデータチャネルからのフレーム誤り測定を組み合わせることができると述べているが、この測定を組み合わせるための具体的な方法は開示されていない。
【０００９】
上述したように、ＷＣＤＭＡでは、複数の電力制御の重大な課題が解決される必要がある。例えば、異なる速度で異なる品質のインジケータ形式を組み合わせる方法が必要とされ、それはＷＣＤＭＡシステムにおけるＳＩＲ目標値を制御するために使用することができる。同様に、異なるサービスにおいて要求される複数の異なる形式の使用法を決定する方法が必要とされる。例えば、複数のサービスでは全逆符号化データブロックに対して周期冗長検査(Cycle redundancy check)（ＣＲＣ）フラグを提供する。このフラグはデータブロックが正しく逆符号化されたか否かを示す。他のサービスでは逆符号化データブロックの信頼性を示した数字を提供する。このように、かなり多くのサービス形式を使用することができる。いずれにせよ、ＳＩＲ目標値を制御する品質インジケータを使用するには、ＣＲＣを使用する以外に外側ループ制御を有効に実行する方法はない。しかし、以下で詳述されるように、本発明は上述の課題及びそれに関連する課題を首尾よく解決する。
【００１０】
【発明の要約】
本発明の好ましい実施形態に準拠して、カスケード形電力制御ループを形成するために、第３（中間）制御ループが内側ループと外側ループとの間に挿入されることにより、ＷＣＤＭＡセルラー通信システムにおける送信電力レベルを制御する方法と装置が提供される。特定の品質インジケータが外側ループと中間ループに接続される。外側ループは中間ループにおける品質目標値を作成する。当該中間ループはＳＩＲ目標値を作成する。
【００１１】
本発明の重要な技術的長所は、ＷＣＤＭＡ電力及び品質制御システムが提供され、そこでは直接的（ネゴシエートされた）品質評価情報及び間接的（ネゴシエートに対して位置付けされた）品質評価情報がＳＩＲ目標値を作成するために共同で使用可能となる点である。
【００１２】
本発明の別の重要な技術的長所は、ＷＣＤＭＡ電力及び品質制御システムが提供され、そこではサービス品質インジケータ値が不足している場合でもＳＩＲ目標値は作成可能となるか、もしくは不足中においてのみ一時的に計算可能となる点である。
【００１３】
さらに、本発明の別の重要な技術的長所は、ＷＣＤＭＡ電力制御システムが提供され、そこでＳＩＲ要件に影響を与え得る伝送環境及び符号化体系の従来の知識はＳＩＲ目標値を作成するために使用することができる点である。
【００１４】
【図の詳細な説明】
本発明の好ましい実施形態とその長所は添付図１〜６を参照することによって理解され、同じ番号が各添付図の類似及び対応部分に使用されている。
【００１５】
基本的に、本発明の好ましい実施形態に準拠して、ＣＤＭＡセルラー通信システムにおける送信電力レベルを制御する方法とシステムが提供される。それによって、カスケード形電力制御ループシステムを形成するために、第３（中間）制御ループが内側ループと外側ループとの間に挿入される。特定の品質インジケータは外側ループと中間ループに接続される。当該外側ループは中間ループにおける品質目標値を作成する。当該中間ループは内側ループに接続されるＳＩＲ目標値を作成する。
【００１６】
具体的には、図１では、例えば下り線において、本発明の第１実施形態を実施するために使用できる典型的な電力制御ループシステム１０のブロック図である。図示された典型的な電力制御システム１０は基地局又は移動局で実施可能であることを注釈する。本図例のスペクトラル拡散又はＣＤＭＡセルラーシステムの移動局においてのみ、図示された電力制御システム１０がハードウェア及び／又はソフトウェアとして実施可能であると前提することができる。このように、好ましくはＷＣＤＭＡシステムにおいて実施されるべき、図中の典型的なシステム１０は、外側電力制御ループ２０、中間電力制御ループ３０及び内側（閉塞）電力制御ループ４０を含む。この実施形態において、外側、中間及び内側制御ループはカスケード接続される。
【００１７】
この典型的な実施形態において、（ＱｏＳにかかる）データ品質インジケータ１は送り側のデータチャネルから機能ブロック（ｆｃｎ１）２２に接続される。このようなデータ品質インジケータの例はＣＲＣデータ、ブロック誤り率、又は他のフレーム品質測定である。標準的なＷＣＤＭＡシステムにおいて、例えば、このようなデータインジケータが（例：０．０１から０．０２秒毎に１の）フレーム速度で獲得できる。中間電力制御ループ３０において、（同様にＱｏＳにかかる）リンク品質インジケータ２は送り側のデータチャネルから機能ブロック（ｆｃｎ１）３２に接続される。通常ではこのようなリンク品質インジケータはデータ品質インジケータより速い速度（又は低い評価誤り）で獲得することができる。このようなリンク品質インジケータの例はデコーダによって評価された生のＢＥＲ、又はデータストリームにおける周知のデータシーケンスと、それに対応する受信データとの比較によって評価された生のＢＥＲである。
【００１８】
この実施形態において、外側電力制御ループ２０と中間電力制御ループ３０は構造と機能の面で類似している。前記各ループは第１機能ブロック（ｆｃｎ１）２２，３２と、第２機能ブロック（ｆｃｎ２）２４，３４を含む。外側制御ループ２０は中間制御ループ３０に入力するための品質（２）の目標値を作成し、中間制御ループ３０は内側制御ループ４０に入力するためのＳＩＲ目標値を作成する。各第１機能ブロック（ｆｃｎ１）２２，３２はそれぞれ品質誤り値を作成する。各第２機能ブロック（ｆｃｎ２）２４，３４は第１機能ブロック（ｆｃｎ１）２２，３２から接続される各品質誤り値を累積する。第２機能ブロック（ｆｃｎ２）２４，３４に累積した品質誤り値は当該システム１０で次段の下位ループの品質目標値を生成するために使用される。例えば、外側制御ループ２０の第２機能ブロック（ｆｃｎ２）２４は品質（２）の目標値を作成し、その値は中間制御ループ３０の第１機能ブロック（ｆｃｎ１）３２に接続される。中間制御ループ３０の第２機能ブロック（ｆｃｎ２）３４はＳＩＲ目標値を作成し、その値は内側制御ループ４０の加算器４２に接続される。
【００１９】
カスケード形システム１０の各下位ループ（例：本実施形態のループ３０と４０）で生成された評価誤り値は「上位」ループ（例：２０，３０）の機能ブロック（例：ｆｃｎ１，ｆｃｎ２）２２，２４，３２，３４に接続される。これらの評価誤り値は受信機能ブロックの電力制御アルゴリズムを「微調整」("fine tune")するために使用できる。同様に、特定の受信測定情報は前記機能ブロックに入力され、各電力制御アルゴリズムを「微調整」するために使用できる。例えば、拡散遅延のような受信側測定情報はチャネルエスティメータ(channel estimator)から第１機能ブロック（ｆｃｎ１）２２，３２に提供することができる。例えばＲＡＫＥ受信機で使用されるフィンガー数のような、他の受信側測定情報は第１機能ブロックに入力され、各電力制御アルゴリズムの「微調整」に使用することもできる。さらに、第１機能ブロック（ｆｃｎ１）２２，３２の電力制御アルゴリズムは電力制御ループが処理しているリンクに関連するサービス情報も利用する。例えば、かかる固有のサービスは特定の情報源、形式、受信した品質インジケータの比率により識別される。この典型的な実施形態において、第１機能ブロック（ｆｃｎ１）によって受信される品質インジケータの形式を問わず、設定可能な品質インジケータ値は「不足分」の品質インジケータ値の表示分にまで及び、そのような状況でも外側制御ループ２０又は中間制御ループ３０は適切に機能することができる。
【００２０】
本発明の第１実施形態に準拠して、図２は図１に示された第１機能ブロック（ｆｃｎ１）２２又は３２のブロック図であり、外側及び中間電力制御ループ２２，３２における品質誤りを評価するために使用することができる。第１機能ブロック（ｆｃｎ１）２２又は３２は品質評価機能ブロック（ｆｃｎ３）２６又は３６、及びマッピング機能ブロック（ｆｃｎ４）２８又は３８を含む。本第１実施形態を実施するために使用できる典型的な品質評価機能ブロック（ｆｃｎ３）２６又は３６の関連項目が図３のブロック図に示されている。第１実施形態を実施するために使用できる典型的なマッピング機能ブロック（ｆｃｎ４）２８又は３８の関連項目がは図４のブロック図に示されている。
【００２１】
本実施形態において、図３に示された品質評価機能ブロック（ｆｃｎ３）２６（又は３６）を引用して、品質（１又は２）の評価機能は非線形利得を有する指数フィルタ（Ｆ）２９によって果たすことができる。品質（１又は２）のインジケータ情報は加算器２７に接続され、機能ブロック２６又は３６の出力から得られる遅延（３３）品質（１又は２）の評価信号の負値に（負帰還として）加算される。可変利得（Ｆ）２９の出力は加算器３１に接続され、遅延（３３）品質１又は２の評価信号の正値に加算される。図３で示された構成によって、当該品質エスティメータ機能ブロック（ｆｃｎ３）２６又は３６は品質インジケータ（１又は２）の入力信号の平均値を算出して出力する。
【００２２】
同様に図３に示されたように、可変利得（Ｆ）２９は１つ以上の受信測定値又はかかるネットワーク又はシステムから提供されるサービス形式情報に加えて、電力制御ループのカスケード配列内の他の機能からの信号によって制御することができる。例えば、図１〜３を参照して、品質２の誤り信号は中間電力ループ３０の品質誤り評価機能ブロック（ｆｃｎ１）３２から可変利得（Ｆ）２９に接続される。同様に、内側電力制御ループ４０からのＳＩＲ誤り信号は可変利得（Ｆ）２９に接続される。
【００２３】
可変利得（Ｆ）２９を設定するために使用できる他の情報は、図３で示されるように、不足している品質インジケータ情報である。このように、不足品質インジケータはカスケード形制御ループ群の各所における機能に関わる異常又は問題についての情報を提供することができる。例えば、不足品質インジケータは、内側制御ループ４０からのＳＩＲ誤り値又は中間制御ループ３０からの品質２の誤り値が誤り値ゼロと著しく掛け離れているか否かを示すことができる。そのような場合には、誤り信号をゼロ値に戻すために、不足している品質インジケータ情報は可変利得（Ｆ）２９を制御するために使用できる。このような状況において、直近の品質インジケータが妥当であったとき、もしくは直近に報告された誤り値が比較的小さいときには、品質エスティメータ（ｆｃｎ３）は算出された値からの品質評価を変えないことが望ましい。本目的は、エスティメータ（ｆｃｎ３）２６又は３６が入力される（例：ＳＩＲ又は品質）誤り値の平均値を監視し、比較的大きな誤りが発生するか、品質インジケータ値が入力に利用できないときに、ゼロを乗じる可変利得値（Ｆ）２９を選定することによって成し遂げることができる。
【００２４】
上述したように、図４は第１実施形態を実施するために使用できる典型的なマッピング機能ブロック（ｆｃｎ４）２８又は３８のブロック図である。品質評価機能ブロック（ｆｃｎ３）２６又は３６（図３）から品質１又は２の誤り値までの品質１又は２の評価値をマッピングするために、どんな適切なマッピングアルゴリズム（ソフトウェア対応又はハードウェア対応）も当該マッピング機能アルゴリズム３５を実施するために使用することができる。図４で示したように、マッピング機能アルゴリズム３５は対応するＳＩＲ値に対して入力品質１又は２の評価値をマッピングする。加算器３７において、対応する品質１又は２の誤り値を作成するために、品質１又は２の目標値はマッピング機能アルゴリズム３５のＳＩＲ出力値から減算される。
【００２５】
とりわけ、本発明の教示に準拠して、図４は、伝送環境と符号体系がＳＩＲ要件にどのような影響を与えるかについての従来の知識は対応するＳＩＲ値に対する品質１又は２の評価値及び品質１又は２の目標値をマッピングするために使用できることを図解している。使用される伝送環境情報は受信測定と、ＳＩＲ誤り値及び品質２の誤り値について実施される特定の計算によって決定することができる。前記計算は例えば平均値、標準偏差及び所定の時間のＳＩＲ誤り値及び／又は品質２の誤り値の絶対微分(mean absolute derivative)平均値の計算を含むことができる。このように、品質１又は２の目標値が算出され（及び機能ブロック３５を介してマッピングされ）るべきときに、マッピングされ（算出され）た品質の誤り値はＳＩＲ値と同じユニットで表示することができる。マッピング機能ブロック３５からマッピングされた目標値とＳＩＲ値は対応する品質１又は２の誤り値を生成するために加算（３７）される。
【００２６】
図５は、品質１のインジケータ情報がサービスに利用できないときに外側ループ電力制御機能がどのように実行することができるかを図示した、本発明の第２実施形態に準拠した典型的なブロック図である。例えば、図５で示された外側電力制御ループ２０’において、品質１又は２の評価情報がマッピング機能ブロック２１に入力されていないことが分かる。すなわち、品質１のインジケータ情報は図２の評価機能ブロック（ｆｃｎ３）２６に入力されておらず、従って利用できる当該品質評価情報は存在しない。しかし、図５で示されたような第２実施形態において、利用できる品質１のインジケータ情報がないサービスに対しては、品質１の目標情報を（マッピング機能ブロック２１を介して）ＳＩＲユニットで表示されている品質２の目標情報に直接マッピングすることができる。再度図４のマッピング機能ブロック３５について上述した方法を使用すれば、伝送環境と符号体系がＳＩＲ要件にどのような影響を与えるかに関わる従来の知識を、品質１の目標値をＳＩＲユニットとして表示される品質２の目標値にマッピングするのに使用することができる。
【００２７】
図６は本発明の第１実施形態又は第２実施形態を実施するために使用できる典型的な品質（又はＳＩＲ）目標値の計算機能ブロック（ｆｃｎ２）２４又は３４（図１）のブロック図である。品質１又は２の誤り情報は品質目標値の計算機能ブロック（ｆｃｎ２）２４又は３４内の加算器５４に入力される。この入力誤り情報は、品質目標（ネゴシエートされた）値を達成するために、実際に達成されたデータチャネルからの品質値に要求された変換量の評価である。他の下位レベル制御ループの機能ブロックが適切な制限範囲内で動作していれば（例：比較的小さいＳＩＲ誤り値と適用可能な場合は比較的小さい品質２の誤り値）、品質１又は２の誤り入力値は第１利得構成要素（Ｇ１）５６、第２利得構成要素（Ｇ２）６２、遅延構成要素６０及び加算器５８を含むフィルタループ配列に接続することができる。図１で示したように、カスケード形電力制御ループ群において、該フィルタ配列からの出力信号は次段の制御ループにおける品質２の目標値又はＳＩＲ目標値を設定する。しかし、他の下位レベル制御ループの機能ブロックが適切な制限範囲で動作していなければ（例：比較的大きいＳＩＲ誤り値及び適用可能な場合は比較的大きい品質２の誤り値）、品質２の目標値又はＳＩＲ目標値が無分別に大きくなるのを防止する目的で、フィルタ配列（Ｇ１，Ｇ２，遅延など）への入力をゼロに設定するため、フィルタ、加算及び倍率機能ブロック５２からの適正値を入力品質１又は２の誤り値に加算することができる。或いは、品質目標値の計算ブロック（ｆｃｎ２）２４又は３４からの品質２の目標値出力又はＳＩＲ目標値出力を適宜制限することができるフィルタ配列の入力にバイアスを設定するために、フィルタ、加算及び倍率機能ブロック５２はＳＩＲ誤り値を適宜フィルタに通して倍率を掛けるために使用することができる。
【００２８】
図１に戻って、本発明の第１実施形態に準拠して、（例えば、下り線における）加算器４２を具備する内側閉塞電力制御ループ４０の一部が図示されている。この実施形態においては、送り側の伝送（下り線側）チャネルから受信されて、実際に獲得されたＳＩＲは、中間制御ループ３０の機能ブロック（ｆｃｎ２）３４からのＳＩＲ目標値（の負値）に代数的に加算（４２）され、ＳＩＲの相異（誤り）値を発生させる。戻り側の（上り線側）伝送チャネルにおいて、（示されていない）移動局はＳＩＲの相異（誤り）値を（示されていない）サービス中の基地局に送信することができる。
【００２９】
本発明の方法及び装置の好ましい実施形態は添付図で図示され、かつ前述の詳細な説明で説明されているが、開示した実施形態に制限されるものではなく、特許請求項によって規定される本発明の精神から離れることなく、多くの変形、変更及び置換が可能である。、。
【図面の簡単な説明】
本発明の方法と装置は、添付図にかかる上述の詳細な説明を斟酌して完全に理解される。
【図１】  本発明の第１実施形態を実施するために使用できる典型的な電力制御ループシステムのブロック図である。
【図２】  本発明の第１実施形態に準拠して、外側及び中間電力制御ループにおける品質誤りを評価するために使用できる、図１に示された第１機能ブロック（ｆｃｎ１）のブロック図である。
【図３】  本発明の第１実施形態を実施するために使用できる典型的な品質評価機能ブロック（ｆｃｎ３）のブロック図である。
【図４】  本発明の第１実施形態を実施するために使用できる典型的なマッピング機能ブロック（ｆｃｎ４）のブロック図である。
【図５】  本発明の第２実施形態に準拠して、品質１のインジケータ情報がサービスに使用できないときに、外側ループ電力制御機能がどのように実施できるかを図示している典型的なブロック図である。
【図６】  本発明を実施するために使用できる、典型的な品質（又はＳＩＲ）目標値計算機能ブロック（ｆｃｎ２）のブロック図である。
【図１】
0004651254.tif 000002
【図２】
0004651254.tif 000003
【図３】
0004651254.tif 000004
【図４】
0004651254.tif 000005
【図５】
0004651254.tif 000006
【図６】
0004651254.tif 000007